(57)【特許請求の範囲】
【請求項１】
放送番組の記録を指示するための予約情報を送信して放送番組記録装置に前記放送番組を記録させる放送番組の予約情報送信装置において、
家庭内に配置された前記放送番組記録装置を含む機器の集合としての家電部を前記予約情報の送信先として、前記送信先指定用の送信先情報を記憶する記憶手段と、
前記放送番組を受信する車載用テレビジョン受信機と、
前記放送番組を記録するための記録指示があると、前記車載用テレビジョン受信機が受信した放送番組を予約対象の放送番組として、前記予約対象の放送番組に関する番組情報を取得する番組情報取得手段と、
前記番組情報取得手段が取得した番組情報と前記放送番組記録装置を指定する機器指定情報とを前記予約情報に含め、前記記憶手段に記憶されている前記送信先情報とともに前記予約情報を移動体通信端末に送信する予約情報送信手段と、を備えた、
ことを特徴とする放送番組の予約情報送信装置。
【請求項２】
前記番組情報取得手段は、前記記録指示があると、前記車載用テレビジョン受信機で現在放送されている視聴番組を予約対象の放送番組として、前記予約対象の放送番組の番組情報を取得する、
ことを特徴とする請求項１に記載の放送番組の予約情報送信装置。
【請求項３】
前記番組情報取得手段は、
前記番組情報を音声で取得し、取得した音声を音声信号に変換する音声信号変換手段と、
前記音声信号変換手段が変換した音声信号を番組情報に変換する番組情報変換手段と、を備えたものである、
ことを特徴とする請求項１又は２に記載の放送番組の予約情報送信装置。
【請求項４】
放送番組の記録を指示するための予約情報を送信して放送番組記録装置に前記放送番組を記録させる放送番組の記録予約システムにおいて、
前記放送番組記録装置を含む機器の集合としての家電部を前記予約情報の送信先として、前記送信先指定用の送信先情報を記憶して車載用テレビジョン受信機で放送番組を受信し、受信した放送番組を記録するための記録指示があると、受信した放送番組を予約対象の放送番組として、前記予約対象の放送番組に関する番組情報を取得し、取得した番組情報と前記放送番組記録装置を指定する機器指定情報とを、前記放送番組の記録を指示するための予約情報に含め、前記送信先情報とともに、前記予約情報を送信する予約情報送信装置と、
前記予約情報と前記送信先情報とを受信して、前記送信先情報に基づいて指定された前記家電部に前記予約情報を送信する移動体通信端末と、
前記移動体通信端末から前記家電部が受信した前記予約情報に含まれている機器指定情報に基づいて、前記放送番組を記録する機器として指定される放送番組記録装置と、を備えた、
ことを特徴とする放送番組の記録予約システム。
【請求項５】
前記予約情報送信装置は、前記記録指示があると、前記車載用テレビジョン受信機で現在放送されている視聴番組を予約対象の放送番組として、前記予約対象の放送番組の番組情報を取得し、取得した前記放送番組の番組情報と前記機器指定情報とを前記予約情報に含め、前記送信先情報と前記予約情報とを前記移動体通信端末に送信する、
ことを特徴とする請求項４に記載の放送番組の記録予約システム。
【請求項６】
家庭内に配置された放送番組記録装置を含む機器の集合としての家電部を送信先として、前記送信先指定用の送信先情報を記憶する第１のステップと、
前記放送番組を車載用テレビジョン受信機で受信する第２のステップと、
前記放送番組を記録するための記録指示があると、前記車載用テレビジョン受信機が受信した放送番組を予約対象の放送番組として、前記予約対象の放送番組に関する番組情報を取得する第３のステップと、
前記予約対象の放送番組の記録を指示するための予約情報に、取得した前記番組情報と前記放送番組を記録する機器を指定するための機器指定情報とを含め、記憶した前記送信先情報とともに前記予約情報を移動体通信端末に送信する第４のステップと、を備えた、
ことを特徴とする放送番組の記録予約方法。
【請求項７】
前記第３のステップは、前記記録指示があると、前記車載用テレビジョン受信機で現在放送されている視聴番組を予約対象の放送番組として、前記予約対象の放送番組の番組情報を取得するステップである、
ことを特徴とする請求項６に記載の放送番組の記録予約方法。
【発明の詳細な説明】
【０００１】
【発明の属する技術分野】
本発明は、放送番組の予約情報送信装置、放送番組の記録予約システム及び放送番組の記録予約方法に関する。
【０００２】
【従来の技術】
外出先で見たいテレビの番組がある場合に、電話回線を利用してＧコードを自宅のビデオ機器に送信し、そのテレビ番組の記録を予約するようなシステムが知られている（特開平６−１４１２９号等参照）。
【０００３】
【発明が解決しようとする課題】
しかし、かかる従来のシステムでは、アナウンスに従い、番組の開始時間、終了時間等を入力したり、Ｇコードを予め調べて入力したりする必要がある。
【０００４】
特に、車で外出している場合に、放送予定のテレビ番組を車に搭載されたテレビを通して知ったとしても、運転中は音声しか聞くことができないし、停車させて見るにしても受信環境がよくないことも多い。また、電話で予約する場合でも、アナウンスに従って、情報を電話機に入力したり、Ｇコードを調べたりする必要があり、煩わしいものである。
【０００５】
本発明は、このような従来の問題点に鑑みてなされたもので、外出先でも簡単に放送番組の記録の予約が可能となるような放送番組の予約情報送信装置、放送番組の記録予約システム及び放送番組の記録予約方法を提供することを目的とする。
【０００６】
【課題を解決するための手段】
この目的を達成するため、本発明の第１の観点に係る放送番組の予約情報送信装置は、
放送番組の記録を指示するための予約情報を送信して放送番組記録装置に前記放送番組を記録させる放送番組の予約情報送信装置において、
家庭内に配置された前記放送番組記録装置を含む機器の集合としての家電部を前記予約情報の送信先として、前記送信先指定用の送信先情報を記憶する記憶手段と、
前記放送番組を受信する車載用テレビジョン受信機と、
前記放送番組を記録するための記録指示があると、前記車載用テレビジョン受信機が受信した放送番組を予約対象の放送番組として、前記予約対象の放送番組に関する番組情報を取得する番組情報取得手段と、
前記番組情報取得手段が取得した番組情報と前記放送番組記録装置を指定する機器指定情報とを前記予約情報に含め、前記記憶手段に記憶されている前記送信先情報とともに前記予約情報を移動体通信端末に送信する予約情報送信手段と、を備えたものである。
前記番組情報取得手段は、前記記録指示があると、前記車載用テレビジョン受信機で現在放送されている視聴番組を予約対象の放送番組として、前記予約対象の放送番組の番組情報を取得するようにしてもよい。
【０００７】
前記番組情報取得手段は、
前記番組情報を音声で取得し、取得した音声を音声信号に変換する音声信号変換手段と、
前記音声信号変換手段が変換した音声信号を番組情報に変換する番組情報変換手段と、を備えたものであってもよい。
【０００８】
本発明の第２の観点に係る放送番組の記録予約システムは、
放送番組の記録を指示するための予約情報を送信して放送番組記録装置に前記放送番組を記録させる放送番組の記録予約システムにおいて、
前記放送番組記録装置を含む機器の集合としての家電部を前記予約情報の送信先として、前記送信先指定用の送信先情報を記憶して車載用テレビジョン受信機で放送番組を受信し、受信した放送番組を記録するための記録指示があると、受信した放送番組を予約対象の放送番組として、前記予約対象の放送番組に関する番組情報を取得し、取得した番組情報と前記放送番組記録装置を指定する機器指定情報とを、前記放送番組の記録を指示するための予約情報に含め、前記送信先情報とともに、前記予約情報を送信する予約情報送信装置と、
前記予約情報と前記送信先情報とを受信して、前記送信先情報に基づいて指定された前記家電部に前記予約情報を送信する移動体通信端末と、
前記移動体通信端末から前記家電部が受信した前記予約情報に含まれている機器指定情報に基づいて、前記放送番組を記録する機器として指定される放送番組記録装置と、を備えたものである。
前記予約情報送信装置は、前記記録指示があると、前記車載用テレビジョン受信機で現在放送されている視聴番組を予約対象の放送番組として、前記予約対象の放送番組の番組情報を取得し、取得した前記放送番組の番組情報と前記機器指定情報とを前記予約情報に含め、前記送信先情報と前記予約情報とを前記移動体通信端末に送信するようにしてもよい。
【０００９】
本発明の第３の観点に係る放送番組の記録予約方法は、
家庭内に配置された放送番組記録装置を含む機器の集合としての家電部を送信先として、前記送信先指定用の送信先情報を記憶する第１のステップと、
前記放送番組を車載用テレビジョン受信機で受信する第２のステップと、
前記放送番組を記録するための記録指示があると、前記車載用テレビジョン受信機が受信した放送番組を予約対象の放送番組として、前記予約対象の放送番組に関する番組情報を取得する第３のステップと、
前記予約対象の放送番組の記録を指示するための予約情報に、取得した前記番組情報と前記放送番組を記録する機器を指定するための機器指定情報とを含め、記憶した前記送信先情報とともに前記予約情報を移動体通信端末に送信する第４のステップと、を備えたものである。
前記第３のステップは、前記記録指示があると、前記車載用テレビジョン受信機で現在放送されている視聴番組を予約対象の放送番組として、前記予約対象の放送番組の番組情報を取得するステップであってもよい。
【００１０】
【発明の実施の形態】
以下、本発明の実施の形態に係る放送番組の記録予約システムを図面を参照して説明する。
【００１１】
尚、本実施の形態では、放送番組の記録予約システムとして、車載用テレビジョン受信機（以後、単に「ＴＶ」と記す。）で受信した放送番組を、家庭内に配置されたビデオデッキで録画予約をするシステムについて説明する。
【００１２】
本実施の形態に係る記録予約システムの構成を図１に示す。
記録予約システムは、予約情報送信装置１と、デジタル家電部２と、通信端末３と、基地局４と、電話回線５と、を備えて構成されている。
【００１３】
予約情報送信装置１は、マイク１１と、音声認識装置１２と、ＴＶ１３と、送受信部１４と、制御部１５と、を備えて構成されている。
【００１４】
マイク１１は、音声を入力して音声信号に変換するものである。音声認識装置１２は、マイク１１が変換した音声信号を、音声の内容を文字で表した文字コードに変換するものである。
【００１５】
ＴＶ１３は、車に搭載されたテレビジョン受信機であり、ＴＶチューナ１６と、ＥＰＧ（Electronic Program Guide：電子番組ガイド）ＳＴＢ（Set Top Box）１７と、を備えている。
【００１６】
ＴＶチューナ１６は、ＶＨＦ帯等のテレビ高周波信号を受信して、希望するチャネルの信号を選択し、ディスプレイとスピーカとに（図示せず）、映像と音声とを出力するものである。
【００１７】
ＥＰＧＳＴＢ１７は、ＴＶチューナ１６と送受信部１４を接続し、ＥＰＧデータを送受信部１４に出力するためのインタフェース機器である。このＥＰＧデータは録画すべき放送番組を指定するための番組データである。尚、番組データは、ＥＰＧデータに限らず、Ｇコード等であってもよい。
【００１８】
送受信部１４は、通信端末３との間でBluetooth規格に従った近距離無線通信を行うものである。Bluetoothについては後述する。送受信部１４は、メモリを有し、このメモリに送信先のＴＥＬ（電話番号）データを予め記憶する。録画指示の場合、送受信部１４は、このメモリに録画を指示するための予約情報を一時記憶する。この予約情報には、ＥＰＧデータと記録機器を指示するための機器指定情報とが含まれる。
【００１９】
制御部１５は、ＭＰＵ（Micro Processing Unit）、ＲＯＭ（Read Only Memory）、ＲＡＭ（Random Access Memory）等を備え、マイク１１と、音声認識装置１２と、ＴＶ１３と、送受信部１４と、を制御し、後述するフローチャートに従って予約情報の送信処理を制御する。
【００２０】
通信端末３は、通信機能を備えた携帯可能な端末であり、基地局４との間で無線通信を行う。また、通信端末３は、ＭＰＵ、ＲＯＭ、ＲＡＭ等を備え、予約情報送信装置１の送受信部１４から予約情報を受信した場合、ＴＥＬデータに基づいて送信先データを設定し、予約情報を基地局４に送信する。
【００２１】
尚、この通信端末３には、例えば、携帯電話、ＰＨＳ（Personal Handyphone System）、ＰＤＡ（Personal Digital Assistance）、モバイル（Mobile）コンピュータが含まれる。
【００２２】
基地局４は、通信端末３から受信した情報を、電話回線５を介してデジタル家電部２に送信する。
【００２３】
デジタル家電部２は、家庭内に配置されたデジタル家電機器の集合であり、サーバ２１と、ビデオデッキ２２と、オーディオ機器２３と、を備えている。
【００２４】
サーバ２１は、ビデオデッキ２２とオーディオ機器２３との間でBluetooth規格に従った近距離無線通信を行うことにより、デジタル家電機器を統合するコンピュータであり、ＭＰＵ、ＲＯＭ、ＲＡＭ等を備えている。サーバ２１は、基地局４から予約情報を受信した場合、その予約情報に含まれている機器指定情報に基づいて、データを記録する機器を指定する。尚、サーバ２１は、受信した予約情報を記憶するためのメモリを有している。
【００２５】
ビデオデッキ２２は、映像及び音声に係る放送番組をビデオテープに記録し、また、ビデオテープに記録された映像データ等を再生するための機器である。オーディオ機器２３は、音声に係る放送番組を再生し、記録するための機器である。
【００２６】
次に、Bluetoothについて説明する。
Bluetoothは、近距離に配置された機器を無線接続するための通信規格であり、携帯端末、コンピュータ等、様々な機器を無線で統合できるように物理仕様、プロトコルスタック等を規格化している。
【００２７】
また、Bluetoothでは、送受信部１４と通信端末３との間のように１つの機器同士、サーバ２１とビデオデッキ２２とオーディオ機器２３との間のように、１つの機器と複数の機器、あるいは複数の機器同士で接続する接続態様が考えられている。
【００２８】
Bluetoothの規格は、図２に示すように、物理層と、プロトコルスタック層と、アプリケーション層と、に分けて考えられる。そして、機器Ａ，Ｂの物理層、プロトコルスタック層同士で相互接続を行えるように仕様を規定している。
【００２９】
Bluetoothでは、無線通信を実現するための物理仕様として、２．４ＧＨｚ帯でのスペクトル拡散（周波数ホッピング）通信を規定する。物理層は、この物理仕様に関する層である。
【００３０】
また、Bluetoothでは、Bluetooth機能の搭載可能な機器を規定し、その機器を動作させるためのアプリケーションとプロトコルスタックとを規定している。アプリケーション層はこのアプリケーションに関する層であり、プロトコルスタック層は、プロトコルスタックに関する層である。
【００３１】
前述の予約情報送信装置１の送受信部１４と、通信端末３と、サーバ２１と、ビデオデッキ２２と、オーディオ機器２３とには、このBluetooth機能を達成するため、図３に示すようなBluetoothモジュール３１とBluetoothホスト３２とを備える。
【００３２】
Bluetoothモジュール３１は、実際に通信を行うための無線通信回路を備えたものであり、Bluetoothホスト３２は、用途に応じたアプリケーションを搭載するためのものであり、マイクロプロセッサ等を備える。
【００３３】
さらに、Bluetoothモジュール３１とBluetoothホスト３２とには、送受信したデータをやりとりするための各種コントローラと、インタフェースと、プロトコルと、を備える。
【００３４】
Bluetoothモジュール３１の無線通信回路は、図４に示すように、ＲＦ（Radio Frequency）回路部４１とベースバンド信号処理部４２とからなる。このＲＦ回路部４１とベースバンド信号処理部４２とがBluetooth規格の物理層を構成する。
【００３５】
ＲＦ回路部４１は、アンテナ４３と、ＲＦフィルタ４４と、切換器４５と、送信機４６と、受信機４７と、を備える。
【００３６】
アンテナ４３は、無線信号を送受信するためのものである。ＲＦフィルタ４４は、無線信号の帯域制限をするためのフィルタである。切換器４５は、所定のドライバ（図示せず）に制御されて、無線信号を送信する場合は、送信機４６とＲＦフィルタ４４とを接続し、無線信号を受信する場合は、受信機４７とＲＦフィルタ４４とを接続する。
【００３７】
送信機４６は、送信する無線信号の信号処理をするものであり、ＤＡ変換器５１と、ＬＰＦ（ローパスフィルタ）５２と、ＦＭ変調器５３と、バースト変調器５４と、アンプ５５と、を備える。
【００３８】
ＤＡ変換器５１は、ベースバンド信号処理部４２が出力したデジタルデータをアナログ信号に変換するものである。
ＬＰＦ５２は、ＤＡ変換器５１が出力したアナログ信号の高周波成分を制限するフィルタである。
【００３９】
ＦＭ変調器５３は、所定の搬送波の周波数を、ＬＰＦ５２が出力したアナログ信号で変化させて、ＦＭ変調信号を生成するものである。バースト変調器５４は、ＴＤＭＡ（Time Division Multiple Access）方式による通信を行うため、アンプ５５を制御してバースト変調を行うものである。アンプ５５は、バースト変調器５４に制御されてＦＭ変調器５３の出力をコントロールするものである。
【００４０】
受信機４７は、受信した無線信号の信号処理を行うものであり、発振器６１と、切換器６２と、アンプ６３と、ＩＦフィルタ６４と、ミキサ６５と、ＩＦフィルタ６６と、ＦＭ復調器６７と、しきい値検出／クロックリカバリ回路６８と、を備える。
【００４１】
発振器６１は、所定周波数の発振信号を生成するものである。
切換器６２は、無線信号を送信する場合は、ベースバンド信号処理部４２によって制御されて発振器６１とＦＭ変調器５３とを接続し、無線信号を受信する場合は、発振器６１とミキサ６５とを接続する。
【００４２】
アンプ６３は、ＲＦフィルタ４４を介してアンテナ４３が受信した受信信号を増幅するものである。ＩＦフィルタ６４は、アンプ６３から出力された受信信号の帯域を制限するためのフィルタである。
【００４３】
ミキサ６５は、発振器６１から切換器６２を介して供給された発振信号と、ＩＦフィルタ６４から出力された受信信号とを混合し、中間周波信号としてその和又は差の信号を生成するものである。ＩＦフィルタ６６は、ミキサ６５から出力された中間周波信号の帯域を制限するためのフィルタである。
【００４４】
ＦＭ復調器６７は、ＩＦフィルタ６６から出力された中間周波信号を検波して、復調信号を得るためのものである。しきい値検出／クロックリカバリ回路６８は、ＦＭ復調器６７の復調信号の信号レベルを検出し、復調信号の信号レベルが所定のしきい値以上の場合は、復調信号からクロック信号を取り出し、情報を含む信号を抽出するものである。
【００４５】
ベースバンド信号処理部４２は、ＲＦ回路部４１の制御と、パケットの制御と、リンクの制御と、誤り訂正と、論理チャネルの制御と、データの白色化と、アドレスの割り当てと、セキュリティ処理と、を行うためのものであり、ベースバンドプロセッサ、ＭＰＵ、ＲＯＭ、ＲＡＭ等を含んで構成される。
【００４６】
このベースバンド信号処理部４２は、発振器６１を周波数ホッピングコントロールする。周波数ホッピング方式は、ＰＮ（Pseud Noise code：疑似雑音符号）符号に基づいて搬送周波数を偏移させる方式である。送受信部１４と通信端末３と、また、サーバ２１とビデオデッキ２２とオーディオ機器２３とは、互いにスペクトル拡散通信による情報等の送受信を行えるように、同じＰＮ符号を有している。
【００４７】
次に、Bluetoothのプロファイルについて説明する。
Bluetoothでは、図５に示すように、使用可能なアプリケーションと、そのためのプロファイルと、を規定している。このプロファイルは、アプリケーションに応じて、実装すべきプロトコルスタックを規定するものである。
【００４８】
電話関連のプロファイルとしては、ヘッドセットプロファイルと、ファクシミリプロファイルと、ダイアルアップ接続プロファイルと、インターコムプロファイルと、コードレス電話プロファイルと、がある。
ネットワーク関連のプロファイルとしては、ＬＡＮアクセスプロファイルがある。
【００４９】
オブジェクト交換関連のプロファイルとしては、データ同期プロファイルと、ファイル転送プロファイルと、オブジェクトプッシュプロファイルと、がある。データ伝送関連のプロファイルとしては、シリアルポートプロファイルと、汎用オブジェクト交換プロファイルと、がある。
汎用のプロファイルとしては、汎用アクセスプロファイルと、サービスディスカバリ・プロファイルと、がある。
【００５０】
ここで、例えば、送受信部１４が通信端末３に無線接続をする場合、コードレス電話プロファイルと、シリアルポートプロファイルと、汎用アクセスプロファイルと、を用いる。
【００５１】
コードレス電話プロファイルは、所定の機器を、コードレス電話として使用するのに必要なプロトコルスタックを規定したものである。コードレス電話プロファイルは、コードレス電話機の操作において最低限必要になる項目を想定し、データの種類や記述方法といった親機と子機間でデータをやりとりするために必要な事項を規定している。
【００５２】
シリアルポートプロファイルは、アプリケーションをシリアルポートで接続するのに必要なプロトコルスタックを規定したものである。汎用アクセスプロファイルは、すべてのプロファイルに共通のプロトコルスタックを規定したものである。
【００５３】
予約情報を送受信するためには、プロファイルを選択し、選択したプロファイルに従って、送受信部１４と、通信端末３と、サーバ２１と、ビデオデッキ２２とに、ぞれぞれ、必要なアプリケーションとプロトコルスタックとを実装する。
【００５４】
次に本実施の形態に係る記録予約システムの動作を説明する。
ＴＶ１３で放送番組が放送されている場合に、車のドライバがその音声を聞いて、その放送番組を録画しておきたいと考えた場合、「録画」と音声で指示をする。
予約情報送信装置１は、この録画の指示を音声入力し、現在、放送中の放送番組の録画を予約すべく予約情報を生成してその送信処理を実行する。
【００５５】
この予約情報送信装置１の動作を図６のフローチャートに示す。
制御部１５は、マイク１１がオンしたか否かを判定する（ステップＳ１１）。
マイク１１がオフの場合（ステップＳ１１においてＮｏ）、制御部１５は、オンするまで待機する。
【００５６】
マイク１１がオンした場合（ステップＳ１１においてＹｅｓ）、制御部１５は、音声認識装置１２を制御し、音声認識装置１２は、マイク１１から音声信号を入力し（ステップＳ１２）、音声認識を行う（ステップＳ１３）。
【００５７】
制御部１５は、音声認識装置１２が録画指示を認識できたか否かを判定する（ステップＳ１４）。
録画指示を認識できていないと制御部１５が判定した場合（ステップＳ１４においてＮｏ）、音声認識装置１２は、再度、マイク１１から音声信号を入力し、音声認識を行う（ステップＳ１２，Ｓ１３）。
【００５８】
録画指示を認識できたと制御部１５が判定した場合（ステップＳ１４においてＹｅｓ）、制御部１５はＥＰＧＳＴＢ１７を制御して、ＥＰＧＳＴＢ１７は、現在、放送している視聴番組を確認し、ＥＰＧデータを抽出して送受信部１４に出力する（ステップＳ１５）。
【００５９】
ＥＰＧＳＴＢ１７が現在の視聴番組を確認できたと制御部１５が判定した場合、制御部１５は、記録機器を指定する。次に、制御部１５は、記録機器を指定する情報を機器指定情報として、ＥＰＧデータと機器指定情報とを、記録の予約を指示する予約情報に含め、この予約情報を送受信部１４に備えられたメモリに記憶する。そして、制御部１５は、送受信部１４を制御し、送受信部１４は、予約情報を、送信先を指定するＴＥＬデータとともに通信端末３に送信する（ステップＳ１６）。
【００６０】
制御部１５は、予約情報とＴＥＬデータとを送信すると、通信端末３から「受信成功」のメッセージを受信したか否かを判定する（ステップＳ１７）。
このメッセージを受信していないと制御部１５が判定した場合（ステップＳ１７においてＮｏ）、送受信部１４は、再度、予約情報とＴＥＬデータとの送信を試みる（ステップＳ１６）。
【００６１】
「受信成功」のメッセージを受信したと判定した場合（ステップＳ１７においてＹｅｓ）、制御部１５はこの処理を終了させる。
【００６２】
次に、通信端末３は、図７のフローチャートに従って、予約情報とＴＥＬデータとの受信処理を実行する。
通信端末３は、予約情報とＴＥＬデータとを受信する（ステップＳ２１）。
【００６３】
通信端末３は、予約情報とＴＥＬデータとの受信が成功したか否かを判定する（ステップＳ２２）。
受信は不成功と判定した場合（ステップＳ２２においてＮｏ）、通信端末３は、「受信失敗」のメッセージを送受信部１４に送信し（ステップＳ２３）、再度、予約情報とＴＥＬデータとの受信を試みる（ステップＳ２１）。
【００６４】
受信成功と判定した場合（ステップＳ２２においてＹｅｓ）、通信端末３は、「受信成功」のメッセージを送受信部１４に送信し（ステップＳ２４）、この処理を終了させる。
【００６５】
次に、通信端末３は、図８に示すフローチャートに従って、この予約情報の送信処理を実行する。
通信端末３は、ＴＥＬデータに基づいて、送信先データを設定し（ステップＳ３１）、電波状況を確認する（ステップＳ３２）。
【００６６】
通信端末３は、確認した電波状況に基づいて、通信可能なエリア内か否かの判定を行う（ステップＳ３３）。
エリア外であると判定した場合（ステップＳ３３においてＮｏ）、通信端末３は、再度、電波状況を確認する（ステップＳ３２）。
【００６７】
エリア内であると判定した場合（ステップＳ３３においてＹｅｓ）、通信端末３は、送信先データに基づいて、送信先に電話する（ステップＳ３４）。
通信端末３は、デジタル家電部２との間で接続が確立した場合、予約情報を送信する（ステップＳ３５）。
【００６８】
予約情報を送信すると、通信端末３は、「受信成功」のメッセージを受信したか否かを判定する（ステップＳ３６）。
このメッセージを受信していないと判定した場合（ステップＳ３６においてＮｏ）、通信端末３は、再度、予約情報の送信を試みる（ステップＳ３５）。
「受信成功」のメッセージを受信したと判定した場合（ステップＳ３６においてＹｅｓ）、通信端末３は、この処理を終了させる。
【００６９】
通信端末３が送信した予約情報は、基地局４、電話回線５を介して、デジタル家電部２のサーバ２１に送信される。そして、サーバ２１は、図９に示すフローチャートに従って、予約情報の受信処理を実行する。
【００７０】
サーバ２１は、着信を検出する（ステップＳ４１）。
サーバ２１は、予約情報の受信が成功したか否かの判定を行う（ステップＳ４２）。
【００７１】
予約情報の受信が不成功と判定した場合（ステップＳ４２においてＮｏ）、サーバ２１は、「受信失敗」のメッセージを、送信元の通信端末３に送信する（ステップＳ４３）。そして、サーバ２１は、再度、着信を検出するまで待機する。
【００７２】
予約情報の受信成功と判定した場合（ステップＳ４２においてＹｅｓ）、サーバ２１は、「受信成功」のメッセージを送信元の通信端末３に送信し（ステップＳ４４）、予約情報の受信処理を終了させる。
【００７３】
サーバ２１は、データ等の受信処理が終了すると、次に、図１０のフローチャートに従って、予約の指示をする。
【００７４】
サーバ２１は、予約情報に含まれている機器指定情報に基づいて、記録機器がビデオデッキ２２であるか否かを判定する（ステップＳ５１）。
記録機器がビデオデッキ２２ではないと判定した場合（ステップＳ５１においてＮｏ）、サーバ２１は、他の機器に動作を指示し（ステップＳ５４）、この処理を終了させる。
【００７５】
記録機器がビデオデッキ２２であると判定した場合（ステップＳ５１においてＹｅｓ）、サーバ２１は、録画を指示するための録画指示データをビデオデッキ２２に送信する（ステップＳ５２）。
サーバ２１は、録画指示データをビデオデッキ２２に送信すると、「受信成功」のメッセージを受信したか否かを判定する（ステップＳ５３）。
【００７６】
このメッセージを受信しなかったと判定した場合、サーバ２１は、再度、録画指示データの送信を試みる（ステップＳ５２）。
メッセージを受信できたと判定した場合、サーバ２１は、この処理を終了させる。
【００７７】
サーバ２１が送信したデータは、ビデオデッキ２２に送信される。ビデオデッキ２２は、図１１に示すフローチャートに従って、録画処理を実行する。
【００７８】
ビデオデッキ２２は、録画指示データの受信が成功したか否かを判定する（ステップＳ６１）。
【００７９】
録画指示データの受信が不成功と判定した場合（ステップＳ６１においてＮｏ）、ビデオデッキ２２は、「受信失敗」のメッセージを送信する（ステップＳ６２）。
【００８０】
録画指示データの受信成功と判定した場合（ステップＳ６１においてＹｅｓ）、ビデオデッキ２２は、「受信成功」のメッセージを送信する（ステップＳ６３）。
【００８１】
ビデオデッキ２２は、予約情報に含まれているＥＰＧデータに基づいて、終了時刻とチャネルとの設定を行う（ステップＳ６４）。
ビデオデッキ２２は、録画をする（ステップＳ６５）。
ビデオデッキ２２は、現在時刻の確認を行う（ステップＳ６６）。
【００８２】
ビデオデッキ２２は、録画終了時刻になったか否かの判定を行う（ステップＳ６７）。
録画終了時刻になっていないと判定した場合（ステップＳ６７においてＮｏ）、ビデオデッキ２２は、再度、現在時刻の確認を行う（ステップＳ６６）。
【００８３】
そして、録画終了時刻になったと判定した場合（ステップＳ６７においてＹｅｓ）、ビデオデッキ２２は、録画を終了させ（ステップＳ６８）、この処理の実行を終了させる。
【００８４】
以上説明したように、本実施の形態によれば、音声で放送番組の予約がされた場合、予約情報送信装置１から通信端末３へ、Bluetoothによる無線通信で予約情報を送信してビデオデッキ２２に録画させるようにしたので、車で外出して、見たい放送番組を放送していた場合でも、音声で簡単に放送番組の予約をすることができる。
【００８５】
従って、受信状態が悪く、不快な状態での鑑賞を防止して、後で家庭に帰ってからゆっくり録画した放送番組を鑑賞することができるので、ドライバは精神的にも安定し、安全運転にもつながるようなシステムを提供できる。
【００８６】
尚、本発明を実施するにあたっては、種々の形態が考えられ、上記実施の形態に限られるものではない。
例えば、家庭内でデータの送受信を行う機器がビデオデッキ２２だけの場合、図１２に示すように、サーバ２１を備えずに、基地局４とビデオデッキ２２との間を、電話回線５を介して直接接続することもできる。
【００８７】
また、通信規格は、必ずしもBluetoothに限られるものではなく、赤外線を用いた通信規格であるＩｒＤＡ（Infrared Data Association）を用いることもできるし、互いに無線通信できるものであればどのようなものでもよい。さらに、サーバ２１とビデオデッキ２２との接続であれば、有線接続も可能である。但し、ＩｒＤＡの場合、接続態様は、１つの機器同士の接続のみである。
【００８８】
予約情報の取得は、音声に限るものではなく、例えば、キー操作部を備え、キー操作部から予約情報をキー入力することもできる。
【００８９】
データを記録する機器は、必ずしもビデオデッキ２２に限られるものではなく、オーディオ機器２３であってもよい。この場合、車にカーオーディオを搭載し、カーオーディオに予約情報送信装置１を取り付ける。
【００９０】
ＲＦ回路部４１は、Bluetoothで規定されたスペクトル拡散通信が行えるものであれば、図４に示すような構成のものに限定されるものではない。
Bluetoothのプロファイルは、上述したものに限られるものではない。また、選択したプロファイルのみを各機器に実装することもできるし、すべてのプロファイルをすべて実装しておくこともできる。
【００９１】
さらに通信端末３、サーバ２１、ビデオデッキ２２等は、インターネットに接続される構成としてもよく、この場合、ビデオデッキ２２等に個々に設定されるＩＰ（Internet Protocol）アドレスを機器指定情報としてもよい。
【００９２】
【発明の効果】
以上説明したように、本発明によれば、簡単に放送番組の記録の予約を行うことができる。
【図面の簡単な説明】
【図１】本発明の実施の形態に係るデータの記録予約システムの構成を示すブロック図である。
【図２】  Bluetoothの説明図である。
【図３】  Bluetooth機能を達成するための構成を示す説明図である。
【図４】  Bluetoothモジュールに備えられた無線通信回路の構成の一例を示すブロック図である。
【図５】  Bluetoothのプロファイルの一例を示す説明図である。
【図６】図１の予約情報送信装置の動作を示すフローチャートである。
【図７】図１の通信端末が実行する予約情報の受信処理を示すフローチャートである。
【図８】図１の通信端末が実行する予約情報の送信処理を示すフローチャートである。
【図９】図１のサーバが実行する予約情報の受信処理を示すフローチャートである。
【図１０】図１のサーバが実行する予約指示の処理を示すフローチャートである。
【図１１】図１のビデオデッキが実行する録画処理を示すフローチャートである。
【図１２】機器が１台の場合の構成を示すブロック図である。
【符号の説明】
１  予約情報送信装置
２  デジタル家電部
３  通信端末
４  基地局
１１  マイク
１２  音声認識装置
１３  ＴＶ
１４  送受信部
１５  制御部
２１  サーバ
２２  ビデオデッキ
【図１】
0003898922.tif 000002
【図２】
0003898922.tif 000003
【図３】
0003898922.tif 000004
【図４】
0003898922.tif 000005
【図５】
0003898922.tif 000006
【図６】
0003898922.tif 000007
【図７】
0003898922.tif 000008
【図８】
0003898922.tif 000009
【図９】
0003898922.tif 000010
【図１０】
0003898922.tif 000011
【図１１】
0003898922.tif 000012
【図１２】
0003898922.tif 000013